(57)【要約】      （修正有）【課題】初心者でも容易にボレーの練習が連続してできるボレー自己練習用テニスボールを提供する。【解決手段】ボレー自己練習用テニスボール２は、ボール１０と、ボール１０の表面に設けられた取付部材１４と、一端が取付部材１４に取り付けられ、他端がラケットの異なる箇所に取り付け可能な複数の取付具１８を備えた伸縮自在の紐状弾性体１６とを備えて構成した。【選択図】図１
0003220281.tif 000002
【実用新案登録請求の範囲】
【請求項１】
ボールと、
前記ボールの表面に設けられた取付部材と、
一端が前記取付部材に取り付けられ、他端がラケットの異なる箇所に取り付け可能な複数の取付具を備えた伸縮自在の紐状弾性体と、
を備えたことを特徴とするボレー自己練習用テニスボール。
【請求項２】
前記紐状弾性体は、前記取付部材から放射状に分岐していることを特徴とする請求項１に記載のボレー自己練習用テニスボール。
【請求項３】
前記紐状弾性体は、前記取付部材に取り付けられる前記一端から前記他端の間で複数に分岐していることを特徴とする請求項１に記載のボレー自己練習用テニスボール。
【請求項４】
前記紐状弾性体は、一部に弾性を備えない非弾性体を有していることを特徴とする請求項１〜３のいずれか１項に記載のボレー自己練習用テニスボール。
【請求項５】
前記ボールは、ソフトテニスボールであることを特徴とする請求項１〜４のいずれか１項に記載のボレー自己練習用テニスボール。
【考案の詳細な説明】
【技術分野】
【０００１】
本考案は、一人でボレーの練習を行うボレーの練習用テニスボールに関する。
【背景技術】
【０００２】
ボールの表面に伸縮性を有するゴム紐の一端を取り付け、ゴム紐の他端側をラケットに取り付け、打ったボールがゴム紐の弾性によりラケットに戻るようにしたボレー自己練習用テニスボールが知られている。このボレー自己練習用テニスボールは、戻ってきたボールを繰り返し打てるので、ボレーの練習を一人で連続して行うことができる。
【先行技術文献】
【特許文献】
【０００３】
【特許文献１】特開昭５９−１１５０６８号公報
【考案の概要】
【考案が解決しようとする課題】
【０００４】
ボレー自己練習用テニスボールを用いてボレーの練習を連続して行うためには、できるだけボールがラケットのスイートスポットに戻ってくるようにボールを打つことが要求される。しかし、初心者には常にスイートスポットに戻ってくるようにボールを打つことは難しく、正確にボールが打てないことから、打ち難いボールが戻ってくることとなり、ボレーの練習が連続しないこととなっていた。
【０００５】
本考案は、上記課題を解決し、ボールがラケットのスイートスポットに正確に戻ってきて、連続して練習が行えるボレー自己練習用テニスボールを提供することを目的とする。
【課題を解決するための手段】
【０００６】
上記の課題を解決するため、本考案に係るボレー自己練習用テニスボールを、次のように構成した。ボールと、ボールの表面に設けられた取付部材と、一端が取付部材に取り付けられ、他端にラケットの異なる箇所に取り付け可能な複数の取付具を備えた伸縮自在の紐状弾性体と、を備えてボレー自己練習用テニスボールを構成した。
【考案の効果】
【０００７】
本考案に係るボレー自己練習用テニスボールによれば、紐状弾性体のラケット側の取付端が複数であるので、紐状弾性体が伸びると取付端を含む平面内でボールに作用する力のバランスがとられ、ボールの挙動が安定する。そのため、ボールのふらつきが抑制され、ボールがラケットの所望の位置に戻りやすくなる。そのため、戻ってきたボールが打ち返しやすくなり、初心者でも連続したボレーの練習が可能となる。
【図面の簡単な説明】
【０００８】
【図１】本考案の一実施形態に係るボレー自己練習用テニスボールを示す斜視図である。
【図２】テニスラケットを示す正面図である。
【図３】ボレー自己練習用テニスボールの使用例を示す斜視図である。
【図４】ボレー自己練習用テニスボールの使用例を示す側面図である。
【図５】ボレー自己練習用テニスボールの使用例を示す平面図である。
【図６】他のボレー自己練習用テニスボールの使用例を示す側面図である。
【図７】他のボレー自己練習用テニスボールの使用例を示す平面図である。
【図８】他のボレー自己練習用テニスボールの使用例を示す側面図である。
【図９】他のボレー自己練習用テニスボールの使用例を示す平面図である。
【図１０】他のボレー自己練習用テニスボールの使用例を示す平面図である。
【考案を実施するための形態】
【０００９】
本考案の一実施形態に係るボレー自己練習用テニスボールについて説明する。
＜第１実施形態＞
図１に、ボレー自己練習用テニスボール２を示す。ボレー自己練習用テニスボール２は、ボール１０と取付部材としての取付片１４と紐状弾性体としてのゴム紐１６とを備えている。ボレーとは、一般的には試合中にネット際で、相手からのボールを直接相手コートに打ち返す打ち方であり、本考案のボレー自己練習用テニスボール２は、テニス用のラケット２０(図３参照)に取り付け、ボレーの練習を個人で行えるようにしたものである。
【００１０】
ボール１０は、ゴム製で、表面１２は球体の外形を有し、内部に空洞を有している。ボール１０は、基本的に通常使用されているソフトテニス用のテニスボールと同等品である。
【００１１】
ボール１０の表面１２には、取付片１４が設けられている。取付片１４は、例えば円形の底部１４ａと筒体部１４ｂとを有し、底部１４ａがボール１０の表面１２に接着されている。取付片１４の底部１４ａは、容易に剥離しないようにボール１０の表面１２に強固に接着されている。取付片１４の筒体部１４ｂは、筒状に形成され、ボール１０の表面１２の貼り付けられた底部１４ａから突出している。
【００１２】
取付片１４の筒体部１４ｂには、ゴム紐１６が２本連結されている。ゴム紐１６は、紐状に形成されたゴム部材からなり、伸縮性を備え、ゴム紐１６の長手方向に力を加えると、所定の反発力をもって引き伸ばされ、力を解除すると自らの収縮力で元の長さに戻る性質を有している。
【００１３】
取付片１４に取り付けられた２本のゴム紐１６は、基本的に同一の素材で、同一の長さを有している。ゴム紐１６の自然長は、ボレーの練習において、使用者がボール１０を打つ力と、ゴム紐１６が有する弾性力と、ボール１０を飛ばす距離等から適宜決定する。
【００１４】
ゴム紐１６の取付片１４と逆側の他端には、取付具としての取付金具１８がそれぞれ設けられている。取付金具１８は、例えば環状の金具で、環状の一部を開いたり、閉じたりできる構成を有し、後述するラケット２０に固定する。尚、ゴム紐１６は、筒体部１４ｂに固定されていても、単に筒体部１４ｂの内部に通してあるだけでもよい。
【００１５】
図２にラケット２０を示す。ラケット２０は、通常用いられるソフトテニス用ラケットである。ラケット２０は、楕円形のフレーム３０とグリップ３２とを有し、フレーム３０の内側に縦糸３６と横糸３８が十字に張られている。グリップ３２はフレーム３０に一体に取り付けられている。フレーム３０の内側に形成される面(フェイス)４０の中央部分には、ボール１０を打つのに最もふさわしいとされるスイートスポット４４を備えている。
【００１６】
次に、ボレー自己練習用テニスボール２を用いた練習方法について説明する。以下説明上、ラケット２０は、ラケット２０のグリップ３２のグリップエンド３３を下にして垂直に立てた状態で上下を定め、ボール１０を打つ面４０を正面として左右を定める。
【００１７】
ボレー自己練習用テニスボール２の取付金具１８を、ラケット２０の縦糸３６もしくは横糸３８に取り付ける。取付金具１８は、金具の開口部を開いて縦糸３６もしくは横糸３８に通し、開口部を閉じてラケット２０に留める。
【００１８】
取付金具１８は、図２に示すラケット２０が有する中央のスイートスポット４４より若干高い位置で、ラケット２０(フレーム３０)の左右両側の側部Ａ、Ｂに、互いに離して留めるのが好ましい。これは、打ったボール１０が、ラケット２０のスイートスポット４４に戻って可能性が高くなるからである。尚、取付金具１８は、縦糸３６もしくは横糸３８でなく、側部ＢやＣの近傍のフレーム３０に直接取り付けてもよい。（以下、同じ。）
ボレー自己練習用テニスボール２のボール１０をラケット２０に取り付けたら、ボール１０をラケット２０で打つ。ボール１０は、ラケット２０の正面に向けて打つ。すると、ゴム紐１６は、ボール１０から引っ張り力を受け、受けた力に応じて伸びる。図３にボール１０がラケット２０の正面に向かって飛んでいる状態を示す。
【００１９】
そして、ボール１０が図４に示すようにラケット２０の正面に飛ぶと、図５に示すように２本のゴム紐１６は均等に伸び、ゴム紐１６が伸びきった時点で収縮力が作用し、ボール１０をラケット２０側に引き戻す。ボール１０は左右均等な収縮力で戻るので、ボール１０の上下方向の打ち出し角度が適当であれば、ボール１０はスイートスポット４４に戻ってくる。そのため、再びボール１０をラケット２０にて正面に容易に打ち出すことができる。
【００２０】
一方、ボール１０を打ち出したときに、ラケット２０の面４０が左右いずれかの方向に偏り、例えば、ボール１０がラケット２０の右方向に打ち出されたとする。すると、左側のゴム紐１６が右側のゴム紐１６より多く伸ばされ、左側のゴム紐１６の張力が右側のゴム紐１６の張力より大きくなる。
【００２１】
これにより、ボール１０は、左側のゴム紐１６から大きな力を受け、ボール１０は、左側のゴム紐１６で引かれるようにして左方向に移動する。したがってボール１０の位置は、左右のゴム紐１６の張力が均等になるように調整され、ラケット２０の面４０の左右の中心に戻ってくる。
【００２２】
この場合も、ボール１０の上下方向の打ち出し角度が適当であれば、ボール１０はラケット２０のスイートスポット４４に戻ってくることとなり、再度ボール１０を容易に打ち出すことができる。
【００２３】
そのため、仮に左右に間違ってボール１０を打ち出したとしても、ラケット２０の中央、つまりスイートスポット４４にボール１０が戻ってくるので、初心者であっても連続してボレーの練習が行える。
【００２４】
このように、ボレー自己練習用テニスボール２は、２本のゴム紐１６が、それぞれ取付金具１８によりラケット２０の左右両側に取り付けられるので、ボール１０がラケット２０で打ち出されると、２本のゴム紐１６がラケット２０とにより二等辺三角形を形成し、ゴム紐１６が、それぞれ同等の収縮力でボール１０を引き寄せる。そのため、ボール１０は、ラケット２０の正面に、左右均等な位置に戻される。
【００２５】
そして、ボール１０がラケット２０の正面に戻ってくるので、ラケット２０に対する高さ方向の角度が正しければ、ボール１０はラケット２０のスイートスポット４４に正確に戻ってくる。
【００２６】
したがってボレー自己練習用テニスボール２によれば、２本のゴム紐１６により、ラケット２０に対するボール１０の左右方向へのふらつきが抑制され、初心者であっても、ラケット２０の上下方向の角度に注意して打ち返せば、ボール１０をラケット２０のスイートスポット４４に正確に戻すことができる。
【００２７】
そして、上述したと同様に戻ってきたボール１０を再度ラケット２０で打ち出すことで、再びボール１０がラケット２０のスイートスポット４４に戻ってくるので、連続してボレーの練習を行うことができる。かかる効果は、ラケット２０の向きにかかわらず行われるので、ラケット２０を垂直に保持した場合に限らず、ラケット２０のグリップ３２を左右に傾けた場合でも同様に得られる。
(第２実施形態)
次に、ボレー自己練習用テニスボール２の他の実施形態について説明する。このボレー自己練習用テニスボール２は、図６、図７に示すようにボール１０に３本のゴム紐１６が取り付けられている。各ゴム紐１６の一端は、ボール１０の取付片１４にまとめて取り付け、他端は、ラケット２０の左右の側部Ａ、Ｂと、ラケット２０の下端部Ｃにそれぞれ取付金具１８を介して取り付ける。各ゴム紐１６は、同一の材質で同じ長さを有している。各ゴム紐１６は、ボール１０をラケット２０から遠ざけてゴム紐１６を引張させると、ボール１０の取付片１４を頂点とした三角錐形状を形成する。
【００２８】
この例によると、ボール１０がラケット２０から打ち出され、各ゴム紐１６が引張されると、上述したようにゴム紐１６が三角錐状に形成されるので、ボール１０は、３本のゴム紐１６から基本的に均等な力を受ける。
【００２９】
すると、ボール１０は、左右の方向には、ラケット２０の左右側部Ａ、Ｂに取り付けられた２本のゴム紐１６から均一な力を受け、あるいは、ボール１０が左右に振られたときはそれに応じた力を受けて、左右方向に振られることが抑制され、かつ、ラケット２０の下端部Ｃに取り付けられたゴム紐１６が、少なくともラケット２０の上方へのボール１０の移動を規制するので、ボール１０が上方に振られることが抑制される。尚、この例の場合、ラケット２０の下端部Ｃに取り付けるゴム紐１６の長さや弾力性を左右のゴム紐１６に対して変化させてもよい。
【００３０】
したがって、ボール１０は、各ゴム紐１６の三方からの引っ張り力で、ラケット２０の左右方向の中央に保持され、かつ少なくとも面４０の上半分の領域に大きく移動することが抑制され、ラケット２０のスイートスポット４４の近傍に戻される。
【００３１】
かかるボレー自己練習用テニスボール２によれば、ボール１０の上方向及び左右方向の挙動に対して規制がされるので、ボール１０のふらつきが抑制され、ボール１０がラケット２０のスイートスポット４４に適確に戻ってくる。したがって、初心者も下方向へのボール１０の打ち出しに注意することで、容易に連続したボレーの練習が可能となる。
(第３実施形態)
このボレー自己練習用テニスボール２は、図８、図９に示すようにボール１０に４本のゴム紐１６が取り付けられている。各ゴム紐１６の一端は、ボール１０の取付片１４に取り付け、他端は、ラケット２０(フレーム３０)の上側の側部Ａ、Ｂと下側の側部Ｄ、Ｅの４か所に取り付ける。各ゴム紐１６は、基本的にすべて同一のものとする。ゴム紐１６は、ボール１０をラケット２０から遠ざけてゴム紐１６を引張させると、ボール１０の取付片１４を頂点とした四角錐形状を形成する。
【００３２】
この例によると、ボール１０がラケット２０から打ち出され、ゴム紐１６が引張されると、上述したようにゴム紐１６が四角錐状に形成されるので、ボール１０は、４本の各ゴム紐１６から基本的に均等な力を受ける。あるいは、ボール１０が上下左右の方向に振られたときはそれに応じた力を受ける。
【００３３】
すると、ボール１０は、左右の方向には、ラケット２０の側部ＡとＢ及び側部ＤとＥに取り付けられたそれぞれ２本のゴム紐１６から均一、あるいは適度な力を受けて、左右方向に振られることが抑制され、かつ、上下方向には、ラケット２０の側部ＡとＤ及び側部ＢとＥに取り付けられたそれぞれ２本のゴム紐１６から均一、あるいは適度な力を受けて、上下方向に振られることが抑制される。
【００３４】
したがって、ボール１０は、各ゴム紐１６の四方からの適確な引っ張り力で、ラケット２０の上下左右方向のほぼ中央に保持され、ラケット２０のスイートスポット４４の近傍に戻される。
【００３５】
かかるボレー自己練習用テニスボール２によれば、ボール１０の上下及び左右のいずれの方向の挙動も規制され、ボール１０のふらつきが抑制されるので、ボール１０がラケット２０のスイートスポット４４に戻り、初心者でも容易に連続してボレーの練習が可能となる。
(第４実施形態)
上記各実施形態では、ボール１０の取付片１４に各ゴム紐１６の端部を取り付けたが、この例は、図１０に示すようにボール１０の取付片１４に取り付けるゴム紐１６は１本とし、そのゴム紐１６に２本のゴム紐１７を取り付け、それぞれのゴム紐１７の端部をラケット２０の左右の側部Ａ、Ｂにそれぞれ取り付けることとした。この例によっても、２本のゴム紐１７により、平面が形成されるので、上述したと同様にボール１０の挙動を安定させることができる。
【００３６】
そして、この例では、ゴム紐１６が１本であることから、ボール１０の挙動に対する規制が第１実施形態等のときより緩くなり、練習としての難易度が高くなる。したがって、上達の度合いに応じて、ボール１０の規制を緩くしたい場合等に有効となる。
【００３７】
又、ゴム紐１７は、２本に限らず、第２実施形態や第３実施形態と同様、３本や４本としてもよく、ゴム紐１７の本数を増加させると練習の難易度は低くなる。又、１本のゴム紐１６の長さを長くするほど、基本的には練習の難易度が高くなる。
【００３８】
更に、第４実施形態において、ゴム紐１７を、弾性体に代えて非弾性体から形成してもよい。この場合、弾性を有するのはゴム紐１６の部分のみとなる。このように構成しても、ボール１０は、弾性を有するゴム紐１６によって、ボレーの練習が可能となるとともに、２本の紐部分が弾性を有さないことから、弾性を有する場合と比較してボール１０の挙動が安定し、又紐部分の絡みつきが抑制できる。又、ゴム紐１６とゴム紐１７の弾性部分と非弾性部分の箇所を、逆に設定してもよい。
【００３９】
以上述べたように、本考案のボレー自己練習用テニスボール２によれば、ラケット２０の角度が正面に対して傾いた状態でボール１０を打った場合でも、ラケット２０のスイートスポット４４の近傍に戻ってくるようにボール１０の位置が修正される。これによりボール１０は、ラケット２０で打ちやすい箇所に戻ってくるので、初心者であっても、ボレーの練習を一人で、連続して行うことができる。
【００４０】
そして、ゴム紐１６等の本数を増減したり、１本の部分の長さを調整する等により、練習の難易度を変更でき、初心者のみならず、習熟度の高い人にも対応することができる。
【００４１】
更に２本のゴム紐１６を用いる場合、ラケット２０の左右のいずれか一方、すなわち側部ＡとＤ若しくは側部ＢとＥに取り付けてもよい。このようにすると、ラケット２０を横に寝かせた状態の練習(ローボレー)に用いられる。
【００４２】
又、３本のゴム紐１６のうち、２本のゴム紐１６を側部ＢとＥに取り付け、他の１本のゴム紐１６を側部Ｇ(図２参照)の位置に取り付けてもよい。これによっても、ラケット２０を横に寝かせた状態の練習に用いられる。この場合、２本の場合より難易度は低くできる。又、この３本のゴム紐１６の場合、左右を逆にすることによりフォアとバックそれぞれの側での練習に用いられる。
【００４３】
尚、本考案は、上記実施形態で示したものに限るものではない。例えば、紐状弾性体はゴム材に限らず、他の材質のものでもよい。又、ゴム紐１６は、表面にゴム材が露出していても、あるいは、所定の素材で被覆されていてもよい。
【産業上の利用可能性】
【００４４】
本考案は、テニスにおけるボレーの練習に利用できる。
【符号の説明】
【００４５】
２…ボレー自己練習用テニスボール、１０…ボール、１４…取付片、１６…ゴム紐、１８…取付金具、２０…ラケット、３０…フレーム、３２…グリップ、３６…縦糸、３８…横糸、４０…面、４４…スイートスポット。
【図１】
0003220281.tif 000003
【図２】
0003220281.tif 000004
【図３】
0003220281.tif 000005
【図４】
0003220281.tif 000006
【図５】
0003220281.tif 000007
【図６】
0003220281.tif 000008
【図７】
0003220281.tif 000009
【図８】
0003220281.tif 000010
【図９】
0003220281.tif 000011
【図１０】
0003220281.tif 000012